(57)【要約】【課題】固定通信回線に代わり、携帯通信端末の無線通信回線でデータ通信端末をネットワークに接続して、移動体通信網のサービスエリア全域がデータ通信の利用場所として活用できるようにする。【解決手段】屋内では、固定アクセスポイント機器３が電気的に起動され、端子部１２と端子部３８とが互いに接続され、制御部９が電気的に起動し、バッテリー１０が充電され、ユーザーが無線ＬＡＮ搭載機器２０または有線ＬＡＮ搭載機器３９を操作すると、無線ＬＡＮ搭載機器２０または有線ＬＡＮ搭載機器３９が複合通信中継装置１を経由してネットワーク１８上のサーバー１９とデータ通信をパケット交換方式で行うことができ、屋外では、ユーザーが携帯無線ＬＡＮ搭載機器２３を操作すると、携帯無線ＬＡＮ搭載機器２３が携帯アクセスポイント機器２を介してネットワーク１８上のサーバー１９とデータ通信をパケット交換方式で行うことができる。【選択図】図１
2010062760.tif 000002
【特許請求の範囲】
【請求項１】
携帯可能な容器に、公衆無線通信機能を有する携帯通信端末と無線ＬＡＮ用アンテナと無線ＬＡＮ送受信部とバッテリーとを備えたことを特徴とする携帯アクセスポイント機器。
【請求項２】
バッテリーが充電可能な電池で構成され、バッテリーに外部から電力を充電し得る端子部が携帯可能な容器に設けられたことを特徴とする請求項１記載の携帯アクセスポイント機器。
【請求項３】
携帯アクセスポイント機器と固定アクセスポイント機器と分かれて構成され、携帯アクセスポイント機器が携帯可能な容器に公衆無線高速通信機能を有する携帯通信端末と無線ＬＡＮ用アンテナと無線ＬＡＮ送受信部とバッテリーおよび端子部を備え、固定アクセスポイント機器が容器に高性能アンテナとアンテナ切替部および上記携帯アクセスポイント機器の端子部に接続可能な端子部を備えたことを特徴とする複合通信中継装置。
【請求項４】
固定アクセスポイント機器がルーティング処理部および有線ＬＡＮ口を備えたことを特徴とする請求項３記載の複合通信中継装置。
【請求項５】
携帯通信端末がＰＨＳまたは携帯電話により構成されたことを特徴とする請求項３記載の複合通信中継装置。
【請求項６】
交流を携帯アクセスポイント機器および固定アクセスポイント機器の双方に使用される直流に変換する電源回路が固定アクセスポイント機器に設けられたことを特徴とする請求項３記載の複合通信中継装置。
【発明の詳細な説明】
【技術分野】
【０００１】
本発明は、ＦＴＴＨまたはＡＤＳＬなどの固定通信回線に代わり、屋内および屋外を問わず、ＰＨＳやＰＨＳ以外の移動体通信端末の無線通信回線でパソコンやコンピュータゲーム機などのデータ通信端末をネットワークに接続して、移動体通信網のサービスエリア全域がデータ通信の利用場所として活用できる、携帯アクセスポイント機器およびそれを備えた複合通信中継装置に関する。
【背景技術】
【０００２】
図７は、従来のデータ通信システムを示す。図７では、家庭、会社、学校、公衆無線ＬＡＮスポットなどのように、固定アクセスポイント機器５５が建物５１の内部に設置され、固定アクセスポイント機器５５とネットワーク１８とがＦＴＴＨまたはＡＤＳＬなどの固定通信回線５６で互いに接続され、固定アクセスポイント機器５５の電源プラグ３２が建物５１の電源コンセント５２に接続され、固定アクセスポイント機器５５が電気的に起動された状態において、ユーザーが無線ＬＡＮ搭載機器２０または有線ＬＡＮ搭載機器３９などのデータ通信端末を操作することによって、データ通信端末が固定アクセスポイント機器５５を経由してネットワーク１８上のサーバー１９とデータ通信をパケット交換方式で行う。しかしながら、データ通信を利用する場所が、家庭、会社、学校、公衆無線ＬＡＮスポットなど固定通信回線５６の設置された場所に限定されてしまうという欠点がある。
【特許文献１】特開２００７−６０６９号公報
【発明の開示】
【発明が解決しようとする課題】
【０００３】
発明が解決しようとする問題点は、データ通信の利用場所が限定的であるという点である。
【課題を解決するための手段】
【０００４】
本発明に係る携帯アクセスポイント機器は、携帯可能な容器に、公衆無線通信機能を有する携帯通信端末と無線ＬＡＮ用アンテナと無線ＬＡＮ送受信部とバッテリーとを備えたことを特徴とする主要な特徴とする。本発明に係る携帯アクセスポイント機器の場合、バッテリーが充電可能な電池で構成され、バッテリーに外部から電力を充電し得る端子部が携帯可能な容器に設けられてもよい。本発明に係る複合通信中継装置は、携帯アクセスポイント機器と固定アクセスポイント機器とに分かれて構成され、携帯アクセスポイント機器が携帯可能な容器に公衆無線通信機能を有する携帯通信端末と無線ＬＡＮ用アンテナと無線ＬＡＮ送受信部とバッテリーおよび端子部を備え、固定アクセスポイント機器が容器に高性能アンテナとアンテナ切替部および上記携帯アクセスポイント機器の端子部に接続可能な端子部を備えたことを主要な特徴とする。本発明に係る複合通信中継装置の場合、固定アクセスポイント機器がルーティング処理部および有線ＬＡＮ口を備えたり、または、携帯通信端末がＰＨＳまたはＰＨＳ以外の移動体通信端末により構成されたり、または、交流を携帯アクセスポイント機器および固定アクセスポイント機器の双方に使用される直流に変換する電源回路が固定アクセスポイント機器に設けられたりしてもよい。
【発明の効果】
【０００５】
本発明に係る携帯アクセスポイント機器または複合通信中継装置によれば、従来の固定通信回線を省略し、屋内および屋外を問わず、携帯通信端末の無線通信回線でパソコンやコンピュータゲーム機などのデータ通信端末をネットワークに接続して、移動体通信網のサービスエリア全域がデータ通信の利用場所として活用できる。とりわけ、無線通信回線を利用するので、ネットワーク上のサーバーから提供される対戦ゲームを複数のユーザー間で行うことができるという利点がある。本発明に係る携帯アクセスポイント機器において、バッテリーが充電可能な電池で構成され、バッテリーに外部から電力を充電し得る端子部が携帯可能な容器に設けられれば、バッテリーを携帯可能な容器に入れたまま、バッテリーに充電することができるという利点がある。本発明に係る複合通信中継装置において、固定アクセスポイント機器がルーティング処理部および有線ＬＡＮ口を備えれば、有線端末接続機能を付加することができるという利点がある。本発明に係る複合通信中継装置において、携帯通信端末がＰＨＳまたはＰＨＳ以外の移動体通信端末により構成されれば、公衆無線通信回線の使用が容易になるという利点がある。本発明に係る複合通信中継装置において、交流を携帯アクセスポイント機器および固定アクセスポイント機器の双方に使用される直流に変換する電源回路が固定アクセスポイント機器に設けられれば、交流を直流に変換する電源回路が最も少ない個数でよいので、構造が簡単になるという利点がある。
【発明を実施するための最良の形態】
【０００６】
図１は、複合通信中継装置１の構成を示す。図２は、バッテリー１０の充電残量表示の構成を示す。図３は、複合通信中継装置１の外観を示す。図４は、制御部９における中継処理の流れを示す。図５は、複合通信中継装置１の屋内での使用形態を示す。図６は、複合通信中継装置１の屋外での使用形態を示す。
【０００７】
図３を参照し、複合通信中継装置１の概略について説明する。複合通信中継装置１は、携帯アクセスポイント機器２と固定アクセスポイント機器３とを備える。固定アクセスポイント機器３の電源プラグ３２が建物５１に設けられた電源コンセント５２に接続され、固定アクセスポイント機器３が電気的に起動されると、固定アクセスポイント機器３の高性能アンテナ３４および有線ＬＡＮ差込口３７が通信可能になる。
【０００８】
携帯アクセスポイント機器２の端子部１２が固定アクセスポイント機器３の端子部３８に接続されると、携帯アクセスポイント機器２が固定アクセスポイント機器３から供給される電力で電気的に起動され、携帯アクセスポイント機器２の無線ＬＡＮ用アンテナ６が通信可能になり、携帯アクセスポイント機器２のバッテリー１０への充電が開始される。
【０００９】
ＰＨＳ２６が携帯アクセスポイント機器２のスロット５３に差し込まれ、携帯アクセスポイント機器２における電源スイッチがオン操作されると、ＰＨＳ２６がバッテリー１０から供給される電力で電気的に起動され、ＰＨＳ２６の無線通信用アンテナ５が通信可能になる。ＰＨＳ２６が携帯アクセスポイント機器２に内蔵され、ＰＨＳ２６と携帯アクセスポイント機器２とが単一体として構成されてもよい。つまり、ＰＨＳ２６と携帯アクセスポイント機器２とが分離できない形態でもよい。
【００１０】
図１を参照し、複合通信中継装置１の詳細な構成について説明する。複合通信中継装置１における携帯アクセスポイント機器２は、携帯可能な容器４に、無線通信用アンテナ５、無線ＬＡＮ用アンテナ６、無線通信送受信処理部７、無線ＬＡＮ送受信処理部８、制御部９、バッテリー１０、電源切替部１１、端子部１２を備える。
【００１１】
無線通信送受信処理部７は、制御部９から出力された送受信処理のコマンドによって、無線通信用アンテナ５と公衆無線基地局１５の無線通信用アンテナ１６との間に無線チャネル１７を設定し、設定された無線チャネル１７を経由して携帯アクセスポイント機器２とネットワーク１８上のサーバー１９とのデータ通信をパケット交換方式で行う、フィルタリング、変復調、増幅などの公衆無線通信処理を行う。無線通信送受信処理部７では、無線チャネル１７として、例えば、１．９ＧＨｚ帯を使う公衆無線通信回線が設定される。
【００１２】
無線ＬＡＮ送受信処理部８は、制御部９から出力された送受信処理のコマンドによって、無線ＬＡＮ用アンテナ６と無線ＬＡＮ搭載機器２０の無線ＬＡＮ用アンテナ２１との間に無線チャネル２２を設定し、または、無線ＬＡＮ用アンテナ６と携帯無線ＬＡＮ搭載機器２３の無線ＬＡＮ用アンテナ２４との間に無線チャネル２５を設定する。
【００１３】
そして、無線ＬＡＮ送受信処理部８は、設定された無線チャネル２２または設定された無線チャネル２５を経由して携帯アクセスポイント機器２と無線ＬＡＮ搭載機器２０または携帯無線ＬＡＮ搭載機器２３とのデータ通信をパケット交換方式で行う、フィルタリング、変復調、増幅などの無線通信処理を行う。
【００１４】
無線ＬＡＮ送受信処理部８では、無線免許が不要で屋内および屋外において誰でも利用できる、無線チャネル２２；２５として、例えば、２．４ＧＨｚ帯を使う、ＩＥＥＥ８０２．１１ｇ規格による無線ＬＡＮ通信回線が設定される。これによって、携帯アクセスポイント機器２が、屋内および屋外で、場所を選ばす、自由に使用できる。
【００１５】
制御部９は、制御部９に内蔵したコンピュータのＣＰＵがＲＯＭに格納されたプログラムにしたがいＲＡＭを使用しながらネットワーク１８を利用する通信ルールであるプロトコルに則って動作することによって、送受信処理、アンテナ切換処理、ルーティング処理、電源切換処理、充電残量表示処理などを実行し、その実行結果としてのコマンドを無線通信送受信処理部７、無線ＬＡＮ送受信処理部８、電源切替部１１、有線ＬＡＮ用端子２８、高性能アンテナ用端子２９に個別に出力する。ＲＯＭには、携帯アクセスポイント機器２の固体識別情報として、固体製造番号などが記録されている。
【００１６】
バッテリー１０は、乾電池などの１次電池または２次電池または蓄電池などを使用すればよいが、２次電池を使用すれば、バッテリー１０の充電容量が大きく、携帯時の使用時間が長くなる。
【００１７】
電源切替部１１は、制御部９から出力された電源切換処理のコマンドによって、バッテリー１０と電源用端子２７とを接続する充電経路、制御部９と電源用端子２７とを接続する電源経路、制御部９とバッテリー１０とを接続する放電経路を作るスイッチを構成する。
【００１８】
無線通信用アンテナ５と無線通信送受信処理部７とがＰＨＳ２６を構成する。ＰＨＳ２６は、公衆無線通信回線によってネットワーク１８上のサーバー１９とデータ通信を行う携帯通信端末であって、音声通信機能は備えていてもいなくてもよい。ＰＨＳ２６をＰＨＳ２６以外の移動体通信端末で代替してもよい。
【００１９】
端子部１２には、電源用端子２７、有線ＬＡＮ用端子２８、高性能アンテナ用端子２９が設けられる。
【００２０】
複合通信中継装置１における固定アクセスポイント機器３は、容器３１に、電源プラグ３２、電源回路３３、高性能アンテナ３４、アンテナ切替部３５、ルーティング処理部３６、有線ＬＡＮ差込口３７、端子部３８を備える。
【００２１】
電源回路３３は、電源コンセント５２（図３参照）から供給された交流を複合通信中継装置１で使用する電圧の直流に変換する。高性能アンテナ３４は、無線通信用アンテナ５に代わり、屋内における無線通信送受信処理部７と屋外における無線通信用アンテナ１６との間のデータ通信をパケット交換方式で行う。電源回路３３は、容器３１に内蔵されることなく、電源プラグ３２または電源プラグ３２から容器３１に伸びるケーブルに設けられてもよい。
【００２２】
アンテナ切替部３５は、制御部９から出力されたアンテナ切換処理のコマンドが高性能アンテナ用端子２９；４３から入力されることによって、公衆無線基地局１５に対するデータ通信に使用するアンテナを無線通信用アンテナ５から高性能アンテナ３４に切り替えるスイッチを構成する。
【００２３】
ルーティング処理部３６は、制御部９から出力されたルーティング処理のコマンドが有線ＬＡＮ用端子２８；４２から入力されることによって、複数の有線ＬＡＮ差込口３７の１つをコマンドに対応する通信経路として確立するスイッチを構成する。
【００２４】
有線ＬＡＮ差込口３７には、電気的に起動した有線ＬＡＮ搭載機器３９が通信ケーブル４０で個別に接続される。端子部３８には、電源用端子４１、有線ＬＡＮ用端子４２、高性能アンテナ用端子４３が設けられる。
【００２５】
複合通信中継装置１の動作について説明する。先ず、電源プラグ３２が電源コンセント５２（図３参照）に接続されることによって、電源回路３３で変換された直流の電力が電源回路３３からアンテナ切替部３５および電源用端子２７に供給され、固定アクセスポイント機器３のアンテナ切替部３５および電源用端子２７が電気的に起動される。
【００２６】
その状態において、携帯アクセスポイント機器２が屋外から屋内に持ち込まれ、端子部１２と端子部３８とが互いに接続されると、双方の電源用端子２７；４１が互いに接続され、双方の有線ＬＡＮ用端子２８；４２が互いに接続され、双方の高性能アンテナ用端子２９；４３が互いに接続される。
【００２７】
これによって、制御部９が電源回路３３から電源用端子２７；４１および電源切替部１１の電源経路を経由して供給された直流の電力で電気的に起動し、バッテリー１０が電源回路３３から電源用端子２７；４１および電源切替部１１の充電経路を経由して供給される直流の電力で充電される。
【００２８】
前記のように制御部９が電気的に起動された場合、制御部９は高性能アンテナ用端子２９；４３を経由してアンテナ切替部３５を制御し、アンテナ切替部３５が公衆無線基地局１５に対するデータ通信に使用するアンテナを無線通信用アンテナ５から高性能アンテナ３４に切り替える。
【００２９】
次に、ユーザーが無線ＬＡＮ搭載機器２０または有線ＬＡＮ搭載機器３９を操作することによって、無線ＬＡＮ搭載機器２０または有線ＬＡＮ搭載機器３９が複合通信中継装置１を経由してネットワーク１８上のサーバー１９とデータ通信をパケット交換方式で行う。
【００３０】
無線ＬＡＮ搭載機器２０または有線ＬＡＮ搭載機器３９は、パソコンやコンピュータゲーム機などプロトコルによる無線通信可能なデータ通信端末を構成する。
【００３１】
ユーザーが無線ＬＡＮ搭載機器２０の操作部を操作した場合、無線ＬＡＮ用アンテナ６と無線ＬＡＮ用アンテナ２１とが無線チャネル２２で接続され、無線通信用アンテナ１６と高性能アンテナ３４とが無線チャネル５４（図５参照）で接続され、無線ＬＡＮ搭載機器２０が無線ＬＡＮ送受信処理部８や無線通信送受信処理部７および制御部９の動作によってネットワーク１８上のサーバー１９とデータ通信をパケット交換方式で行う。
【００３２】
ユーザーが１台の有線ＬＡＮ搭載機器３９の操作部を操作した場合、無線通信用アンテナ１６と高性能アンテナ３４とが無線チャネル５４（図５参照）で接続され、有線ＬＡＮ搭載機器３９がルーティング処理部３６や無線通信送受信処理部７および制御部９の動作によってネットワーク１８上のサーバー１９とデータ通信をパケット交換方式で行う。
【００３３】
つまり、携帯アクセスポイント機器２が屋内に持ち込まれて固定アクセスポイント機器３に接続され、携帯アクセスポイント機器２の制御部９が電源コンセント５２（図３参照）から固定アクセスポイント機器３の電源回路３３を経由して供給される直流の電力によって起動する。
【００３４】
その状態において、ユーザーが無線ＬＡＮ搭載機器２０または有線ＬＡＮ搭載機器３９を操作すると、無線通信用アンテナ１６と高性能アンテナ３４とを相互に接続した無線チャネル５４（図５参照）としての無線通信回線を利用し、無線ＬＡＮ搭載機器２０または有線ＬＡＮ搭載機器３９がネットワーク１８上のサーバー１９とデータ通信をパケット交換方式で行う。
【００３５】
また、携帯アクセスポイント機器２の端子部１２が固定アクセスポイント機器３の端子部１２から外された場合、携帯アクセスポイント機器２の制御部９がバッテリー１０からの電力によって起動してアンテナ切替部３５を制御し、アンテナ切替部３５が公衆無線基地局１５に対するデータ通信に使用するアンテナを高性能アンテナ３４から無線通信用アンテナ５に切り替える。
【００３６】
その後、携帯アクセスポイント機器２が屋内から屋外に持ち出され、ユーザーが携帯パソコンや携帯コンピュータゲーム機などの携帯無線ＬＡＮ搭載機器２３を操作すると、無線ＬＡＮ用アンテナ６と無線ＬＡＮ用アンテナ２４とが無線チャネル２５で接続され、無線通信用アンテナ５と無線通信用アンテナ１６とが無線チャネル１７で接続され、携帯無線ＬＡＮ搭載機器２３が携帯アクセスポイント機器２における無線ＬＡＮ送受信処理部８や無線通信送受信処理部７および制御部９の動作によってネットワーク１８上のサーバー１９とデータ通信をパケット交換方式で行う。
【００３７】
図１の複合通信中継装置１によれば、従来の固定通信回線５６（図７参照）を省略し、屋内および屋外の双方を問わず、ＰＨＳ２６またはＰＨＳ２６以外の図外の移動体通信端末による無線通信回線でパソコンやコンピュータゲーム機などのデータ通信端末としての無線ＬＡＮ搭載機器２０または携帯無線ＬＡＮ搭載機器２３をネットワークに接続して、移動体通信網のサービスエリア全域がデータ通信の利用場所として活用でき、ネットワーク１８上のサーバー１９から提供される対戦ゲームなどのゲームやそれ以外のデータ通信を行うことができる。固定アクセスポイント機器３がルーティング処理部３６と有線ＬＡＮ差込口３７を備えているので、有線端末接続機能を付加することができる。携帯通信端末がＰＨＳにより構成されているので、公衆無線通信回線の使用が容易になる。交流を携帯アクセスポイント機器２および固定アクセスポイント機器３の双方に使用される直流に変換する電源回路３３が固定アクセスポイント機器３に設けられているので、交流を直流に変換する電源回路３３が最も少ない１つという個数でよく、構造が簡単になる。
【００３８】
図２を参照し、バッテリー１０の充電残量表示について説明する。携帯アクセスポイント機器２には、バッテリー１０の充電残量表示のために、充電処理部４５、充電残量検出部４６、充電残量表示部４７が設けられる。図２では、固定アクセスポイント機器３の電源用端子４１（図１参照）の図示を省略してある。
【００３９】
そして、電源プラグ３２が電源コンセント５２（図３参照）に接続された場合、電源回路３３で変換された直流の電力が電源回路３３から電源用端子２７を経由して電源切替部１１および充電処理部４５に供給される。
【００４０】
これによって、電源切替部１１が充電経路および電源経路を成立させるとともに放電経路を遮断する。電源経路の成立に伴い、電源回路３３で変換された直流の電力が電源回路３３から電源用端子２７と電源切替部１１とを経由して制御部９に供給され、制御部９が電気的に起動する。充電経路の成立に伴い、電源回路３３で変換された直流の電力が電源回路３３から電源用端子２７と充電処理部４５とを経由してバッテリー１０に充電される。
【００４１】
バッテリー１０への充電に伴い、充電残量検出部４６がバッテリー１０の電圧を充電残量として検出した信号（以下、残量検出信号という）を制御部９に出力し、制御部９が残量検出信号に応じて充電残量表示部４７を制御し、充電残量表示部４７がバッテリー１０への充電量を充電残量として表示する。
【００４２】
次に、電源プラグ３２が電源コンセント５２（図３参照）から外された場合、電源切替部１１が充電経路および電源経路を遮断するとともに放電経路を成立させる。充電経路の遮断に伴い、電源回路３３からバッテリー１０への直流の電力の供給が遮断される。電源経路の遮断に伴い、電源回路３３から制御部９への直流の電力の供給が遮断される。放電経路の成立に伴い、直流の電力がバッテリー１０から電源切替部１１を経由して制御部９に供給され、制御部９の電気的な起動が維持される。
【００４３】
そして、充電残量検出部４６がバッテリー１０の残量検出信号を制御部９に出力し、制御部９が残量検出信号に応じて充電残量表示部４７を制御し、充電残量表示部４７がバッテリー１０の充電残量を表示する。
【００４４】
図４を参照し、制御部９の中継処理について説明する。この中継処理の説明中における、携帯アクセスポイント機器２、無線通信用アンテナ５、無線ＬＡＮ用アンテナ６、制御部９、バッテリー１０、端子部１２、公衆無線基地局１５、無線通信用アンテナ１６、無線ＬＡＮ用アンテナ１７、ネットワーク１８、サーバー１９、無線ＬＡＮ搭載機器２０、携帯無線ＬＡＮ搭載機器２３、無線ＬＡＮ用アンテナ２４、無線チャネル２５、電源回路３３、高性能アンテナ３４、端子部３８、有線ＬＡＮ搭載機器３９、充電残量表示部４７は、図１または図２を参照。この中継処理に用いられる複合通信中継装置１においては、バッテリー１０がフル充電され、制御部９が電気的に起動した初期状態にあるものとする。
【００４５】
制御部９の中継処理が始まると、ステップ１０１において端子部１２；３８が接続されたか否かを判定する。そして、端子部１２が端子部３８に接続された場合、ステップ１０１がＹＥＳとなり、ステップ１０２に進む。端子部１２が端子部３８から外された場合、ステップ１０１がＮＯとなり、ステップ１０４に進む。
【００４６】
ステップ１０２では、電源が商用電源に切り替わることによって、電源回路３３で変換された直流の電力が制御部９に供給され、電源回路３３で変換された直流の電力がバッテリー１０に充電され、ステップ１０３に進む。
【００４７】
ステップ１０３では、屋外モードとして、ネットワーク１８上のサーバー１９と無線ＬＡＮ搭載機器２０または有線ＬＡＮ搭載機器３９との通信が行われる。ステップ１０３では、例えば、ユーザーが無線ＬＡＮ搭載機器２０の操作部または有線ＬＡＮ搭載機器３９の操作部をサーバー１９との通信を促すように操作した場合、高性能アンテナ３４と公衆無線基地局１５の無線通信用アンテナ１６とを相互に接続した無線チャネル５４（図５参照）としての無線通信回線を利用し、無線ＬＡＮ搭載機器２０または有線ＬＡＮ搭載機器３９がネットワーク１８上のサーバー１９との間でデータ通信がパケット交換方式行われ、無線ＬＡＮ搭載機器２０の表示画面または有線ＬＡＮ搭載機器３９の表示画面にサーバー１９で提供されるゲームやデータが画像表示される。
【００４８】
ステップ１０４では、電源がバッテリー１０に切り替わり、直流の電力がバッテリー１０から制御部９に供給され、ステップ１０５に進む。
【００４９】
ステップ１０５では、充電残量が十分か否かを判定する。つまり、制御部９が充電残量検出部４６から入力された検出値を制御部９のＲＯＭに例えばバッテリー１０のフル充電量の約２０％に相当する値として記録された規定値と比較し、検出値が規定値未満になると、ステップ１０５がＮＯとなり、ステップ１０６に進む。検出値が規定値以上であるならば、ステップ１０５がＹＥＳとなり、ステップ１０７に進む。規定値は、バッテリー１０のフル充電量の約２０％に相当する値に限定されるものではない。
【００５０】
ステップ１０６では、バッテリー１０の充電残量が規定値未満であることをユーザーに通知するアラートを充電残量表示部４７で表示する。
【００５１】
ステップ１０７では、屋外モードとして、ユーザーが屋外で携帯無線ＬＡＮ搭載機器２３の操作部をサーバー１９との通信を促すように操作した場合、携帯アクセスポイント機器２の無線ＬＡＮ用アンテナ６と携帯無線ＬＡＮ搭載機器２３の無線ＬＡＮ用アンテナ２４とが無線チャネル２５で接続され、携帯アクセスポイント機器２の無線通信用アンテナ５と公衆無線基地局１５の無線通信用アンテナ１６とが無線チャネル１７で接続され、携帯無線ＬＡＮ搭載機器２３とネットワーク１８上のサーバー１９との間でデータ通信がパケット交換方式で行われ、携帯無線ＬＡＮ搭載機器２３の表示画面にサーバー１９で提供されるゲームやデータが画像表示される。
【００５２】
図５を参照し、複合通信中継装置１の屋内での使用形態ついて説明する。図５に示すように、屋内では、電源プラグ３２が電源コンセント５２に差し込まれ、携帯アクセスポイント機器２が固定アクセスポイント機器３に接続されて電気的に起動した状態において、ユーザーが無線ＬＡＮ搭載機器２０または固定アクセスポイント機器３に接続された有線ＬＡＮ搭載機器３９を操作することによって、複合通信中継装置１が無線チャネル２２；５４からなる無線通信回線を通してネットワーク１８上のサーバー１９と無線ＬＡＮ搭載機器２０または有線ＬＡＮ搭載機器３９とのパケット交換方式によるデータ通信を中継することができる。
【００５３】
図６を参照し、複合通信中継装置１の屋外での使用形態ついて説明する。図６に示すように、携帯アクセスポイント機器２が固定アクセスポイント機器３から外され、携帯アクセスポイント機器２および携帯無線ＬＡＮ搭載機器２３が屋外に持ち出されて電気的に起動した状態において、ユーザーが携帯無線ＬＡＮ搭載機器２３を操作することによって、複合通信中継装置１の携帯アクセスポイント機器２が無線チャネル１７；２５からなる無線通信回線を通してネットワーク１８上のサーバー１９と携帯無線ＬＡＮ搭載機器２３とのパケット交換方式によるデータ通信を中継することができる。
【００５４】
図１において、電源プラグ３２から伸びるケーブルの先端にコネクタが設けられ、当該コネクタがケース３１に設けたコネクタに差し込まれるようにしてもよい。また、電源回路３３に相当する電源回路が必要になるだけ最良の形態よりも構造が複雑になるものの、バッテリー１０に対する充電用コネクタが電源プラグ３２と別にケース４に設けられてもよい。
【００５５】
図１乃至図６では、複合通信中継装置１が携帯アクセスポイント機器２と固定アクセスポイント機器３とに分かれて構成された態様を開示したが、携帯アクセスポイント機器２だけで構成してもよい。その場合、例えば、図１において、携帯アクセスポイント機器２が、少なくとも、携帯可能な容器４に、無線通信用アンテナ５、無線ＬＡＮ用アンテナ６、無線通信送受信処理部７、無線ＬＡＮ送受信処理部８、バッテリー１０を備えることによって、従来の固定通信回線５６（図７参照）を省略し、屋内および屋外の双方を問わず、ＰＨＳ２６またはＰＨＳ２６以外の図外の移動体通信端末による無線通信回線でパソコンやコンピュータゲーム機などのデータ通信端末としての無線ＬＡＮ搭載機器２０または携帯無線ＬＡＮ搭載機器２３をネットワークに接続して、移動体通信網のサービスエリア全域がデータ通信の利用場所として活用できる。さらに、バッテリー１０が２次電池または蓄電池など充電可能な電池で構成され、電源用端子２７を有する端子部１２が容器４に設けられ、電源用端子２７を経由してバッテリー１０に外部から電力を充電し得る構造にしてもよい。つまり、端子部１２は、バッテリー１０に外部から電力を充電し得る端子部を構成する。これによって、バッテリー１０を容器４に入れたまま、バッテリー１０に充電することができる。
【図面の簡単な説明】
【００５６】
【図１】複合通信中継装置のブロック図（最良の形態）。
【図２】バッテリーの充電残量表示のブロック図（最良の形態）。
【図３】複合通信中継装置の斜視図（最良の形態）。
【図４】中継処理のフローチャート（最良の形態）。
【図５】複合通信中継装置の屋内での使用形態を示す概略図（最良の形態）。
【図６】複合通信中継装置の屋外での使用形態を示す概略図（最良の形態）。
【図７】データ通信システムを示す概略図（従来）。
【符号の説明】
【００５７】
１は複合通信中継装置、２は携帯アクセスポイント機器、３は固定アクセスポイント機器、４は容器、５は無線通信用アンテナ、６は無線ＬＡＮ用アンテナ、７は無線通信送受信処理部、８は無線ＬＡＮ送受信処理部、９は制御部、１０はバッテリー、１１は電源切替部、１２は端子部、１３；１４は欠番、１５は公衆無線基地局、１６は無線通信用アンテナ、１７は無線チャネル、１８はネットワーク、１９はサーバー、２０は無線ＬＡＮ搭載機器、２１は無線ＬＡＮ用アンテナ、２２は無線チャネル、２３は携帯無線ＬＡＮ搭載機器、２４は無線ＬＡＮ用アンテナ、２５は無線チャネル、２６はＰＨＳ、２７は電源用端子、２８は有線ＬＡＮ用端子、２９は高性能アンテナ用端子、３０は欠番、３１は容器、３２は電源プラグ、３３は電源回路、３４は高性能アンテナ、３５はアンテナ切替部、３６はルーティング処理部、３７は有線ＬＡＮ差込口、３８は端子部、３９は有線ＬＡＮ搭載機器、４０は通信ケーブル、４１は電源用端子、４２は有線ＬＡＮ用端子、４３は高性能アンテナ用端子、４４は欠番、４５は充電処理部、４６は充電残量検出部、４７は充電残量表示部、４８乃至５０は欠番、５１は建物、５２は電源コンセント、５３はスロット、５４は無線チャネル、５５は固定アクセスポイント機器、５６は固定通信回線。
【図１】
2010062760.tif 000003
【図２】
2010062760.tif 000004
【図３】
2010062760.tif 000005
【図４】
2010062760.tif 000006
【図５】
2010062760.tif 000007
【図６】
2010062760.tif 000008
【図７】
2010062760.tif 000009
【手続補正書】
【提出日】平成21年12月25日(2009.12.25)
【手続補正１】
【補正対象書類名】特許請求の範囲
【補正対象項目名】全文
【補正方法】変更
【補正の内容】
【特許請求の範囲】
【請求項１】
携帯可能な容器に、公衆無線通信機能を有する携帯通信端末と無線ＬＡＮ用アンテナと無線ＬＡＮ送受信部とバッテリーとを備え、携帯通信端末と無線ＬＡＮ送受信部は、バッテリーからの電力により動作することを特徴とする携帯アクセスポイント機器。
【請求項２】
バッテリーが充電可能な電池で構成され、バッテリーに外部から電力を充電し得る端子部が携帯可能な容器に設けられたことを特徴とする請求項１記載の携帯アクセスポイント機器。
【請求項３】
携帯アクセスポイント機器と固定アクセスポイント機器と分かれて構成され、携帯アクセスポイント機器が携帯可能な容器に公衆無線高速通信機能を有する携帯通信端末と無線ＬＡＮ用アンテナと無線ＬＡＮ送受信部とバッテリーおよび端子部を備え、固定アクセスポイント機器が容器に高性能アンテナとアンテナ切替部および上記携帯アクセスポイント機器の端子部に接続可能な端子部を備えたことを特徴とする複合通信中継装置。
【請求項４】
固定アクセスポイント機器がルーティング処理部および有線ＬＡＮ口を備えたことを特徴とする請求項３記載の複合通信中継装置。
【請求項５】
携帯通信端末がＰＨＳまたは携帯電話により構成されたことを特徴とする請求項３記載の複合通信中継装置。
【請求項６】
交流を携帯アクセスポイント機器および固定アクセスポイント機器の双方に使用される直流に変換する電源回路が固定アクセスポイント機器に設けられたことを特徴とする請求項３記載の複合通信中継装置。
【請求項７】
携帯アクセスポイント機器の端子部と固定アクセスポイント機器の端子部とが互いに接続された際に、電源回路が携帯アクセスポイント機器に電力を供給することを特徴とする請求項６記載の複合通信中継装置。
【請求項８】
携帯アクセスポイント機器と固定アクセスポイント機器と分かれて構成され、携帯アクセスポイント機器が携帯可能な容器に公衆無線高速通信機能を有する携帯通信端末と無線ＬＡＮ用アンテナと無線ＬＡＮ送受信部とバッテリーおよび端子部を備え、固定アクセスポイント機器が容器に高性能アンテナとアンテナ切替部および上記携帯アクセスポイント機器の端子部に接続可能な端子部を備えており、携帯アクセスポイント機器と固定アクセスポイント機器が各々の端子部を介して電気的に接続された際に、アンテナ切替部が高性能アンテナと制御部とを電気的に接続して、高性能アンテナと携帯アクセスポイント機器との無線通信を可能にすることを特徴とする複合通信中継装置。
【手続補正３】
【補正対象書類名】明細書
【補正対象項目名】０００４
【補正方法】変更
【補正の内容】
【０００４】
本発明に係る携帯アクセスポイント機器は、携帯可能な容器に、公衆無線通信機能を有する携帯通信端末と無線ＬＡＮ用アンテナと無線ＬＡＮ送受信部とバッテリーとを備えたことを主要な特徴とする。本発明に係る携帯アクセスポイント機器の場合、バッテリーが充電可能な電池で構成され、バッテリーに外部から電力を充電し得る端子部が携帯可能な容器に設けられてもよい。本発明に係る複合通信中継装置は、携帯アクセスポイント機器と固定アクセスポイント機器とに分かれて構成され、携帯アクセスポイント機器が携帯可能な容器に公衆無線通信機能を有する携帯通信端末と無線ＬＡＮ用アンテナと無線ＬＡＮ送受信部とバッテリーおよび端子部を備え、固定アクセスポイント機器が容器に高性能アンテナとアンテナ切替部および上記携帯アクセスポイント機器の端子部に接続可能な端子部を備えたことを主要な特徴とする。本発明に係る複合通信中継装置の場合、固定アクセスポイント機器がルーティング処理部および有線ＬＡＮ口を備えたり、または、携帯通信端末がＰＨＳまたはＰＨＳ以外の移動体通信端末により構成されたり、または、交流を携帯アクセスポイント機器および固定アクセスポイント機器の双方に使用される直流に変換する電源回路が固定アクセスポイント機器に設けられたりしてもよい。